(57)【要約】    【課題】  組合わせる箱体の方向を選択して自在に連結でき、連結用の金具等が表面に露出しないユニット家具を提供すること。    【解決手段】  ユニット家具は箱体３１３、３１２、３１１が積まれてなるような垂直方向連結構造により構成される。箱体３１１は箱体３１２の上に、それぞれに備えられた連結ピン３６ａ１、３５ａ２によって位置決めされて載置され、箱体３１２に設けられた貫通孔部３９ａ２を通して箱体３１１のナット３８ａ１にネジ３１０でネジ止めされる。箱体３１２は同様に箱体３１３上に位置決め、載置、ネジ止めされる。ナット３８ａ１は同心円上に複数設けられ、連結ピン３５ａ２を中心として箱体３１１を回転させ載置方向を変えることができる。【選択図】  図３（ａ）
2005230473.tif 000002
【特許請求の範囲】
【請求項１】
複数の箱体を垂直方向に連結して収納機能を有する家具を構成することのできる、ユニット家具の箱体であって、該箱体は、
その上面部または下面部のいずれか一方に、垂直方向に隣接して他の箱体が連結される際の位置決め用の一の凸状連結ピンが、また他の一方に、該凸状連結ピンと嵌合する形状の凹状連結ピンが設けられ、
その上面部または下面部のいずれか一方に、垂直方向に隣接して他の箱体が連結される際に該他の箱体に備えられる後記ナットに対してネジ止めを行うための一または二以上の貫通孔部が、また他の一方に、別の箱体に備えられた該貫通孔部を通してネジ止めを受けるための二以上のナットが設けられ、該両連結ピンで位置を合わせて積まれた二の箱体の一方を他方に対して該連結ピン位置を中心として回転させた場合に、少なくとも一の該貫通孔部と位置が合うようにするために、該ナットは、該連結ピン位置を中心とし、該一の貫通孔部−該連結ピン間距離に等しい長さを半径とする円周上に二以上設けられている、
ことを特徴とする、ユニット家具の箱体。
【請求項２】
複数の箱体を垂直方向に連結して収納機能を有する家具を構成することのできる、ユニット家具の箱体であって、該箱体は、
その上面部および下面部の形状が、正方形からなる基本領域が一または二以上集合してなる図形の形状を有し、
上面部または下面部のいずれか一方に、垂直方向に隣接して他の箱体が連結される際の位置決め用の一の凸状連結ピンが、また他の一方に、該凸状連結ピンと嵌合する形状の凹状連結ピンが設けられ、
これらの連結ピンは、該基本領域が二以上の正方形からなる場合は少なくとも一の基本領域において設けられ、
上面部または下面部のいずれか一方に、垂直方向に隣接して他の箱体が連結される際に該他の箱体に備えられる後記ナットに対してネジ止めを行うための一または二以上の貫通孔部が、また他の一方に、別の箱体に備えられた該貫通孔部を通してネジ止めを受けるための二以上のナットが設けられ、
各連結ピンはそれぞれが設けられる上面部または下面部の該基本領域の中心にあって、両連結ピンが垂直方向同軸上に設けられ、
該両連結ピンにより上面部および下面部の該基本領域の中心を合わせて積まれた二の箱体の一方を他方に対して該連結ピン位置を中心として回転させた場合に、少なくとも一の該貫通孔部と位置が合うようにするために、該ナットは、該連結ピン位置を中心とし、該一の貫通孔部−該連結ピン間距離に等しい長さを半径とする円周上に二以上設けられている、
ことを特徴とする、ユニット家具の箱体。
【請求項３】
複数の箱体を垂直方向に連結して収納機能を有する家具を構成することのできる、ユニット家具の箱体であって、該箱体は、
その上面部および下面部の形状が、正方形からなる基本領域が一または二以上集合してなる図形の形状を有し、
該上面部には、上方に他の箱体が載置される際の位置決め用の一の凸状または凹状連結ピンと、該他の上方箱体に備えられる後記ナットに対してネジ止めを行うための一または二以上の貫通孔部とを備え、
また該下面部には、下方にある他の箱体上に載置する際、そこに設けられた前記連結ピンと嵌合する、位置決め用の一の凹状または凸状連結ピンと、該他の下方箱体の上面部に備えられた該貫通孔部を通してネジ止めを受けるための二以上のナットとを備え、
これらの連結ピンは、該基本領域が二以上の正方形からなる場合は少なくとも一の基本領域において設けられ、
各連結ピンは、上面部または下面部の該基本領域の中心にあって、両連結ピンが垂直方向同軸上に設けられ、
該両連結ピンにより上面部および下面部の該基本領域の中心を合わせて積まれた二の箱体の一方を他方に対して該連結ピン位置を中心として回転させた場合に、少なくとも一の該貫通孔部と位置が合うようにするために、該ナットは、該下面部の中心を中心とし、該一の貫通孔部と上面部の中心との間の距離に等しい長さを半径とする円周上に二以上設けられている、
ことを特徴とする、ユニット家具の箱体。
【請求項４】
前記貫通孔部は、前記連結ピンを中心とする同心円上に設けられ、前記ナットは、前記連結ピンを中心とする同心円上に設けられることを特徴とする、請求項１ないし３のいずれかに記載のユニット家具の箱体。
【請求項５】
前記ナットは、相互に９０°の間隔で設けられた四個を少なくとも含み、二の前記箱体を積んで一方の箱体の該四個のナットのいずれかを、他方の箱体の前記貫通孔部の位置と合わせた場合に、両箱体の接する平面を構成する各辺の方向がそろうように、該ナットが配置されていることを特徴とする、請求項４に記載のユニット家具の箱体。
【請求項６】
前記ナットは、相互に９０°の間隔で四個設けられ、二の前記箱体を積んで一方の箱体の該四個のナットのいずれかを、他方の箱体の前記貫通孔部の位置と合わせた場合に、両箱体の接する平面を構成する各辺の方向がそろうように該ナットが配置され、前記連結ピンは、上面部のものが凸状、下面部のものが凹状であることを特徴とする、請求項５に記載のユニット家具の箱体。
【請求項７】
下記（Ａ）と、下記（Ｂ１）ないし（Ｂ３）の少なくともいずれか一つが垂直方向に積まれて、それぞれが前記貫通孔部および前記ナットの位置を合わせてネジ止めされてなる、ユニット家具の垂直方向連結構造。
（Ａ）請求項１ないし６のいずれかに記載のユニット家具の箱体。
（Ｂ１）請求項１ないし６のいずれかに記載のユニット家具の箱体。
（Ｂ２）下面部に、下方にある箱体上に載置する際の位置決め用の一の凹状または凸状の連結ピンと、該下方箱体の上面部に備えられた該貫通孔部を通してネジ止めを受けるための二以上のナットとを備えた天板。
（Ｂ３）上面部に、上方に箱体が載置される際の位置決め用の一の凸状または凹状の連結ピンと、該上方箱体に備えられる前記ナットに対してネジ止めを行うための一または二以上の貫通孔部とを備えた台輪。
【請求項８】
請求項７に記載の垂直方向連結構造を備えてなる、ユニット家具。
【請求項９】
請求項１ないし６のいずれかに記載のユニット家具の箱体であって、該箱体の上面部を構成する前記基本領域は四回の回転対称を有するようにその四隅にそれぞれ正方形状の平面状凹部が設けられ、該平面状凹部にはこれに嵌合する部分を有する板状部材をネジ止めすることのできるナットが設けられていることを特徴とする、ユニット家具の箱体。
【請求項１０】
水平方向に接触して並べられた二以上の請求項９に記載の箱体と、この場合に隣接し対向する二の前記平面状凹部からなる形状に嵌合する形状の水平方向連結用板とからなる、ユニット家具の水平方向連結構造であって、該水平方向連結用板には、該平面状凹部に設けられたナットと位置が合うようにネジ止め用の貫通孔部が設けられており、該水平方向連結用板が両平面状凹部にネジ止めされることによって隣接する二の該箱体が連結されていることを特徴とする、ユニット家具の水平方向連結構造。
【請求項１１】
請求項１０に記載の水平方向連結構造を備えてなる、ユニット家具。
【請求項１２】
請求項７に記載の垂直方向連結構造および請求項１０に記載の水平方向連結構造を備えてなる、ユニット家具。
【請求項１３】
下記（Ｃ）または（Ｄ）のいずれかのユニット家具の水平方向連結構造であって、後記梁体は、梁本体部と、該梁本体部の長手方向両端部にそれぞれ設けられたもしくは取付け得る梁体連結用板とからなり、該梁体連結用板には、前記平面状凹部に設けられたナットと位置が合うようにネジ止め用の貫通孔部が設けられており、該梁体連結用板が該平面状凹部にネジ止めされることによって離隔して並べられた二の該箱体または二の該台輪が該梁体により連結されていることを特徴とする、ユニット家具の水平方向連結構造。
（Ｃ）水平方向に離隔して並べられた二の請求項９に記載の箱体と、これらを連結する梁体とからなる、ユニット家具の水平方向連結構造。
（Ｄ）水平方向に離隔して並べられた二の請求項７に記載の台輪と、これらを連結する梁体とからなる、ユニット家具の水平方向連結構造であって、該台輪には、その上面部に、四回の回転対称を有するようにその四隅にそれぞれ正方形状の平面状凹部が設けられ、該平面状凹部にはこれに嵌合する部分を有する板状部材をネジ止めすることのできるナットが設けられている。
【請求項１４】
梁本体部と、該梁本体部の長手方向両端部にそれぞれ設けられたもしくは取付け得る梁体連結用板とからなるユニット家具の梁体であって、該梁体連結用板には、前記平面状凹部に設けられたナットと位置が合うようにネジ止め用の貫通孔部が設けられており、請求項１３に記載のユニット家具の水平方向連結構造に用いることのできる、ユニット家具の梁体。
【請求項１５】
前記梁体連結用板は、前記梁本体部にはその下面部に設けられもしくは取り付けられ、該梁本体部から張り出した部分は前記平面状凹部に上方からネジ止めするように形成されていることを特徴とする、請求項１４に記載のユニット家具の梁体。
【請求項１６】
前記梁体連結用板は、前記梁体が前記箱体等に連結された場合にその上面部が該箱体等の上面部と同じ高さとなるように、クランクカーブ状に形成されていることを特徴とする、請求項１５に記載のユニット家具の梁体。
【請求項１７】
前記梁本体部には、長手方向に一または二以上のガイドが設けられ、これに、間仕切り用スクリーン等の開閉物もしくは引き戸用レール等の開閉物支持体を取付可能な摺動部材が摺設されていることを特徴とする、請求項１５または１６に記載のユニット家具の梁体。
【請求項１８】
前記ガイドは、前記梁本体部の上下方向に二以上設けられていることを特徴とする、請求項１７に記載のユニット家具の梁体。
【請求項１９】
前記梁本体部は、その断面形状が下面開放のコの字状に形成され、該梁体下方に前記開閉物や開閉物支持体を設けることができることを特徴とする、請求項１８に記載のユニット家具の梁体。
【請求項２０】
前記梁本体部上面には、上方に卓状板が載置される際の位置決め用の一の凸状または凹状の連結ピンと、該卓状板に備えられるナットに対してネジ止めを行うための一または二以上の貫通孔部とを備えていることを特徴とする、請求項１４ないし１９のいずれかに記載のユニット家具の梁体。
【請求項２１】
下記（Ｃ’）または（Ｄ’）のいずれかのユニット家具の水平方向連結構造であって、該梁体は請求項１５ないし２０のいずれかに記載のものであり、前記梁体連結用板が前記平面状凹部にネジ止めされることによって離隔して並べられた二の該箱体または二の該台輪が該梁体により連結されていることを特徴とする、ユニット家具の水平方向連結構造。
（Ｃ’）水平方向に離隔して並べられた二の請求項９に記載の箱体と、これらを連結する梁体とからなる、ユニット家具の水平方向連結構造。
（Ｄ’）水平方向に離隔して並べられた二の請求項７に記載の台輪と、これらを連結する梁体とからなる、ユニット家具の水平方向連結構造であって、該台輪には、その上面部に、四回の回転対称を有するようにその四隅にそれぞれ正方形状の平面状凹部が設けられ、該平面状凹部にはこれに嵌合する部分を有する板状部材をネジ止めすることのできるナットが設けられている。
【請求項２２】
請求項１３または２１に記載の水平方向連結構造を備えてなる、ユニット家具。
【請求項２３】
請求項２０に記載の梁体を備え、該梁体上に前記卓状板を備えてなることを特徴とする、請求項２１に記載のユニット家具。
【請求項２４】
請求項１３または２１のいずれかに記載の水平方向連結構造、および請求項７に記載の垂直方向連結構造もしくは請求項１０に記載の水平方向連結構造の少なくとも一方を備えてなる、ユニット家具。
【発明の詳細な説明】
【技術分野】
【０００１】
本発明はユニット家具の箱体、ユニット家具の垂直方向連結構造、ユニット家具の水平方向連結構造、ユニット家具の梁体、およびユニット家具に係り、特に、箱体などを複数組み合わせて構成するユニット家具において、組み合わせる箱体の方向を選択でき、垂直方向、水平方向への自在な連結を行うことができ、しかも組み立て作業が容易であり、組み合わせる箱体などの選択により多彩な家具を構成することができる、ユニット家具の箱体、ユニット家具の垂直方向連結構造、ユニット家具の水平方向連結構造、ユニット家具の梁体、およびユニット家具に関する。
【背景技術】
【０００２】
従来、一定の形状および強度を有する直方体状の箱体を、単一種類もしくは複数種類の複数個用いて、組み合わせ自在に構成することのできる組立家具もしくはユニット家具がある。これらは、一定の接合方法によって、所定の向きに各箱体が向くように構成され、また、各箱体連結用として特殊な連結部材を用いることによって、完成品の形態に組み立てることができるようにされている。また、箱体は、垂直方向であれ水平方向であれ、隣接するもの同士を連結することができるようにその接合方法が構成されている。
【０００３】
かかるユニット家具あるいは組立家具の構成について、従来どのような提案が特許出願等によりなされているかを知るため、特許庁ホームページ上の特許電子図書館（ＩＰＤＬ）の、特許実用新案公報テキスト検索メニューを用い、下記条件にて先行技術調査を行った。
検索式：要約＋特許請求の範囲＝家具＊（ユニット＋組立＋組み立）＊箱
検索対象：公開特許、公開実用新案、特許、実用新案の各公報。
検索日：平成１６年１月２４日
検索結果：公開特許公報  ヒット件数２件
２件は、次のとおりである。
１．特開２０００−１３９５８５組立式箱形家具 
２．特開平０７−３２７７９５組み立て家具の構成部材を収納した箱の陳列方法
【０００４】
その他、下記の各文献もユニット家具に関するものとして把握された。
３．特開平０８−３６６組み立て家具
４．特開昭６１−２５５０７収納用家具の組立て構造
【０００５】
これらのうち１．では、一の箱体の組み立てにおけるビス露出防止技術が、３．および４．では基準寸法を有する複数の箱体からなる組立家具の接合技術が、それぞれ提案されている。
【０００６】
【特許文献１】特開平０８−３６６「組み立て家具」。要約。特許請求の範囲。図１、２、９〜１１。
【特許文献２】特開昭６１−２５５０７「収納用家具の組立て構造」。特許請求の範囲。図１、２。
【発明の開示】
【発明が解決しようとする課題】
【０００７】
しかし、これら先行技術に開示された技術においても、各箱体連結用として特殊な連結部材を用いることなしに容易に作業できるとともに、各箱体の向きを自在に配置でき、さらに離隔された箱体同士をも同じ方法によって自在に連結でき、しかも連結のための金具や穴などが表面に露出して美観を損ねることがないように構成された方法は、存在しない。
【０００８】
特に、上記特許文献１の提案では、組み替えはある程度自在であるものの各箱体同士の向きを選択できるものではなく、組み立ての自由度が小さいのみならず、各箱体の連結には特殊な連結部材が必要であり、連結部材作製に特殊な技術を要するという問題がある。しかも、組み立てられた完成品の表面に金具露出が発生し、美観を損ねる。特許文献２の提案も同様である。
【０００９】
本発明は、これら従来技術の問題点を解決し、組み合わせる箱体の方向を選択でき、垂直方向、水平方向への自在な連結を行うことができ、特殊な連結部材を用いることなく、組み立て作業が容易であり、組み合わせる箱体などの選択により多彩な家具を構成することができ、さらに離隔された箱体同士をも隣接した箱体同士と同じ方法によって自在に連結でき、しかも連結のための金具や穴などが表面に露出して美観を損ねることのない、ユニット家具の箱体、ユニット家具の垂直方向連結構造、ユニット家具の水平方向連結構造、ユニット家具の梁体、およびユニット家具を提供することを課題とする。
【課題を解決するための手段】
【００１０】
上記課題を解決するために本願発明者が鋭意検討した結果、回転対称の利用などにより、簡便な方法で該課題を解決できることを見出し、本発明に至った。すなわち、本願において特許請求される発明は以下のとおりである。
【００１１】
（１）  複数の箱体を垂直方向に連結して収納機能を有する家具を構成することのできる、ユニット家具の箱体であって、該箱体は、
その上面部または下面部のいずれか一方に、垂直方向に隣接して他の箱体が連結される際の位置決め用の一の凸状連結ピンが、また他の一方に、該凸状連結ピンと嵌合する形状の凹状連結ピンが設けられ、
その上面部または下面部のいずれか一方に、垂直方向に隣接して他の箱体が連結される際に該他の箱体に備えられる後記ナットに対してネジ止めを行うための一または二以上の貫通孔部が、また他の一方に、別の箱体に備えられた該貫通孔部を通してネジ止めを受けるための二以上のナットが設けられ、該両連結ピンで位置を合わせて積まれた二の箱体の一方を他方に対して該連結ピン位置を中心として回転させた場合に、少なくとも一の該貫通孔部と位置が合うようにするために、該ナットは、該連結ピン位置を中心とし、該一の貫通孔部−該連結ピン間距離に等しい長さを半径とする円周上に二以上設けられている、
ことを特徴とする、ユニット家具の箱体。
【００１２】
（２）  複数の箱体を垂直方向に連結して収納機能を有する家具を構成することのできる、ユニット家具の箱体であって、該箱体は、
その上面部および下面部の形状が、正方形からなる基本領域が一または二以上集合してなる図形の形状を有し、
上面部または下面部のいずれか一方に、垂直方向に隣接して他の箱体が連結される際の位置決め用の一の凸状連結ピンが、また他の一方に、該凸状連結ピンと嵌合する形状の凹状連結ピンが設けられ、
これらの連結ピンは、該基本領域が二以上の正方形からなる場合は少なくとも一の基本領域において設けられ、
上面部または下面部のいずれか一方に、垂直方向に隣接して他の箱体が連結される際に該他の箱体に備えられる後記ナットに対してネジ止めを行うための一または二以上の貫通孔部が、また他の一方に、別の箱体に備えられた該貫通孔部を通してネジ止めを受けるための二以上のナットが設けられ、
各連結ピンはそれぞれが設けられる上面部または下面部の該基本領域の中心にあって、両連結ピンが垂直方向同軸上に設けられ、
該両連結ピンにより上面部および下面部の該基本領域の中心を合わせて積まれた二の箱体の一方を他方に対して該連結ピン位置を中心として回転させた場合に、少なくとも一の該貫通孔部と位置が合うようにするために、該ナットは、該連結ピン位置を中心とし、該一の貫通孔部−該連結ピン間距離に等しい長さを半径とする円周上に二以上設けられている、
ことを特徴とする、ユニット家具の箱体。
【００１３】
（３）  複数の箱体を垂直方向に連結して収納機能を有する家具を構成することのできる、ユニット家具の箱体であって、該箱体は、
その上面部および下面部の形状が、正方形からなる基本領域が一または二以上集合してなる図形の形状を有し、
該上面部には、上方に他の箱体が載置される際の位置決め用の一の凸状または凹状連結ピンと、該他の上方箱体に備えられる後記ナットに対してネジ止めを行うための一または二以上の貫通孔部とを備え、
また該下面部には、下方にある他の箱体上に載置する際、そこに設けられた前記連結ピンと嵌合する、位置決め用の一の凹状または凸状連結ピンと、該他の下方箱体の上面部に備えられた該貫通孔部を通してネジ止めを受けるための二以上のナットとを備え、
これらの連結ピンは、該基本領域が二以上の正方形からなる場合は少なくとも一の基本領域において設けられ、
各連結ピンは、上面部または下面部の該基本領域の中心にあって、両連結ピンが垂直方向同軸上に設けられ、
該両連結ピンにより上面部および下面部の該基本領域の中心を合わせて積まれた二の箱体の一方を他方に対して該連結ピン位置を中心として回転させた場合に、少なくとも一の該貫通孔部と位置が合うようにするために、該ナットは、該下面部の中心を中心とし、該一の貫通孔部と上面部の中心との間の距離に等しい長さを半径とする円周上に二以上設けられている、
ことを特徴とする、ユニット家具の箱体。
【００１４】
（４）  前記貫通孔部は、前記連結ピンを中心とする同心円上に設けられ、前記ナットは、前記連結ピンを中心とする同心円上に設けられることを特徴とする、（１）ないし（３）のいずれかに記載のユニット家具の箱体。
（５）  前記ナットは、相互に９０°の間隔で設けられた四個を少なくとも含み、二の前記箱体を積んで一方の箱体の該四個のナットのいずれかを、他方の箱体の前記貫通孔部の位置と合わせた場合に、両箱体の接する平面を構成する各辺の方向がそろうように、該ナットが配置されていることを特徴とする、（４）に記載のユニット家具の箱体。
（６）  前記ナットは、相互に９０°の間隔で四個設けられ、二の前記箱体を積んで一方の箱体の該四個のナットのいずれかを、他方の箱体の前記貫通孔部の位置と合わせた場合に、両箱体の接する平面を構成する各辺の方向がそろうように該ナットが配置され、前記連結ピンは、上面部のものが凸状、下面部のものが凹状であることを特徴とする、（５）に記載のユニット家具の箱体。
【００１５】
（７）  下記（Ａ）と、下記（Ｂ１）ないし（Ｂ３）の少なくともいずれか一つが垂直方向に積まれて、それぞれが前記貫通孔部および前記ナットの位置を合わせてネジ止めされてなる、ユニット家具の垂直方向連結構造。
（Ａ）（１）ないし（６）のいずれかに記載のユニット家具の箱体。
（Ｂ１）（１）ないし（６）のいずれかに記載のユニット家具の箱体。
（Ｂ２）下面部に、下方にある箱体上に載置する際の位置決め用の一の凹状または凸状の連結ピンと、該下方箱体の上面部に備えられた該貫通孔部を通してネジ止めを受けるための二以上のナットとを備えた天板。
（Ｂ３）上面部に、上方に箱体が載置される際の位置決め用の一の凸状または凹状の連結ピンと、該上方箱体に備えられる前記ナットに対してネジ止めを行うための一または二以上の貫通孔部とを備えた台輪。
（８）  （７）に記載の垂直方向連結構造を備えてなる、ユニット家具。
【００１６】
（９）  （１）ないし（６）のいずれかに記載のユニット家具の箱体であって、該箱体の上面部を構成する前記基本領域は四回の回転対称を有するようにその四隅にそれぞれ正方形状の平面状凹部が設けられ、該平面状凹部にはこれに嵌合する部分を有する板状部材をネジ止めすることのできるナットが設けられていることを特徴とする、ユニット家具の箱体。
【００１７】
（１０）  水平方向に接触して並べられた二以上の（９）に記載の箱体と、この場合に隣接し対向する二の前記平面状凹部からなる形状に嵌合する形状の水平方向連結用板とからなる、ユニット家具の水平方向連結構造であって、該水平方向連結用板には、該平面状凹部に設けられたナットと位置が合うようにネジ止め用の貫通孔部が設けられており、該水平方向連結用板が両平面状凹部にネジ止めされることによって隣接する二の該箱体が連結されていることを特徴とする、ユニット家具の水平方向連結構造。
（１１）  （１０）に記載の水平方向連結構造を備えてなる、ユニット家具。
（１２）  （７）に記載の垂直方向連結構造および（１０）に記載の水平方向連結構造を備えてなる、ユニット家具。
【００１８】
（１３）  下記（Ｃ）または（Ｄ）のいずれかのユニット家具の水平方向連結構造であって、後記梁体は、梁本体部と、該梁本体部の長手方向両端部にそれぞれ設けられたもしくは取付け得る梁体連結用板とからなり、該梁体連結用板には、前記平面状凹部に設けられたナットと位置が合うようにネジ止め用の貫通孔部が設けられており、該梁体連結用板が該平面状凹部にネジ止めされることによって離隔して並べられた二の該箱体または二の該台輪が該梁体により連結されていることを特徴とする、ユニット家具の水平方向連結構造。
（Ｃ）水平方向に離隔して並べられた二の（９）に記載の箱体と、これらを連結する梁体とからなる、ユニット家具の水平方向連結構造。
（Ｄ）水平方向に離隔して並べられた二の（７）に記載の台輪と、これらを連結する梁体とからなる、ユニット家具の水平方向連結構造であって、該台輪には、その上面部に、四回の回転対称を有するようにその四隅にそれぞれ正方形状の平面状凹部が設けられ、該平面状凹部にはこれに嵌合する部分を有する板状部材をネジ止めすることのできるナットが設けられている。
【００１９】
（１４）  梁本体部と、該梁本体部の長手方向両端部にそれぞれ設けられたもしくは取付け得る梁体連結用板とからなるユニット家具の梁体であって、該梁体連結用板には、前記平面状凹部に設けられたナットと位置が合うようにネジ止め用の貫通孔部が設けられており、（１３）に記載のユニット家具の水平方向連結構造に用いることのできる、ユニット家具の梁体。
（１５）  前記梁体連結用板は、前記梁本体部にはその下面部に設けられもしくは取り付けられ、該梁本体部から張り出した部分は前記平面状凹部に上方からネジ止めするように形成されていることを特徴とする、（１４）に記載のユニット家具の梁体。
（１６）  前記梁体連結用板は、前記梁体が前記箱体等に連結された場合にその上面部が該箱体等の上面部と同じ高さとなるように、クランクカーブ状に形成されていることを特徴とする、（１５）に記載のユニット家具の梁体。
【００２０】
（１７）  前記梁本体部には、長手方向に一または二以上のガイドが設けられ、これに、間仕切り用スクリーン等の開閉物もしくは引き戸用レール等の開閉物支持体を取付可能な摺動部材が摺設されていることを特徴とする、（１５）または（１６）に記載のユニット家具の梁体。
（１８）  前記ガイドは、前記梁本体部の上下方向に二以上設けられていることを特徴とする、（１７）に記載のユニット家具の梁体。
（１９）  前記梁本体部は、その断面形状が下面開放のコの字状に形成され、該梁体下方に前記開閉物や開閉物支持体を設けることができることを特徴とする、（１８）に記載のユニット家具の梁体。
（２０）  前記梁本体部上面には、上方に卓状板が載置される際の位置決め用の一の凸状または凹状の連結ピンと、該卓状板に備えられるナットに対してネジ止めを行うための一または二以上の貫通孔部とを備えていることを特徴とする、（１４）ないし（１９）のいずれかに記載のユニット家具の梁体。
【００２１】
（２１）  下記（Ｃ’）または（Ｄ’）のいずれかのユニット家具の水平方向連結構造であって、該梁体は（１５）ないし（２０）のいずれかに記載のものであり、前記梁体連結用板が前記平面状凹部にネジ止めされることによって離隔して並べられた二の該箱体または二の該台輪が該梁体により連結されていることを特徴とする、ユニット家具の水平方向連結構造。
（Ｃ’）水平方向に離隔して並べられた二の（９）に記載の箱体と、これらを連結する梁体とからなる、ユニット家具の水平方向連結構造。
（Ｄ’）水平方向に離隔して並べられた二の（７）に記載の台輪と、これらを連結する梁体とからなる、ユニット家具の水平方向連結構造であって、該台輪には、その上面部に、四回の回転対称を有するようにその四隅にそれぞれ正方形状の平面状凹部が設けられ、該平面状凹部にはこれに嵌合する部分を有する板状部材をネジ止めすることのできるナットが設けられている。
【００２２】
（２２）  （１３）または（２１）に記載の水平方向連結構造を備えてなる、ユニット家具。
（２３）  （２０）に記載の梁体を備え、該梁体上に前記卓状板を備えてなることを特徴とする、（２１）に記載のユニット家具。
（２４）  （１３）または（２１）のいずれかに記載の水平方向連結構造、および（７）に記載の垂直方向連結構造もしくは（１０）に記載の水平方向連結構造の少なくとも一方を備えてなる、ユニット家具。
【発明の効果】
【００２３】
本発明のユニット家具の箱体、ユニット家具の垂直方向連結構造、ユニット家具の水平方向連結構造、ユニット家具の梁体、およびユニット家具は上述のように構成されているため、これによれば、基本的に、組み合わせる箱体の方向を選択でき、垂直方向、水平方向への自在な連結を行うことができ、特殊な連結部材を用いることなく、組み立て作業が容易であり、組み合わせる箱体などの選択により多彩な家具を構成することができ、さらに離隔された箱体同士をも隣接した箱体同士と同じ方法によって自在に連結できる。しかも連結のための金具や穴などが表面に露出することのないユニット家具を提供でき、美観を損ねることがない。
【００２４】
そして、本願に含まれる発明を用いることにより、次のようなユニット家具を提供することが可能となる。
（ａ）箱体の上に重ねた箱体の向きが変わっても、最低２本のネジによって垂直方向の安定した連結が可能で、かつ連結部分が表面に見えないユニット家具。
（ｂ）隣り合う箱体の向きが変わっても、箱体の上面に設けられた凹部に取り付け可能な連結金具によって、水平方向の連結が可能でかつ連結部分が表面に見えないユニット家具。
（ｃ）離れた箱体同士を連結する部材として、内部に間仕切り用スクリーン・カーテン・引戸レールが収まる、連結金具を接合した「梁」を持つユニット家具。
（ｄ）天板・収納部・台輪・梁の向きが変わっても、それぞれが必ず連結が可能なユニット家具。
【００２５】
つまり本願に含まれる発明によれば、ユニット家具において、箱の向きを容易に変えることができ、設置形態がどのように変化しても、収納部同士が離れている場合であっても、強固な連結が可能である。また、連結部分が表面に現れないので、壁面状になっても美観を損ねない。
【００２６】
また、連結構造を箱上下面にのみ設けることで、箱や部材の材料を選ばず、連結部分の製作が容易となり、かつ特殊部品を用いないことから、コストを抑えることができる上、連結作業には特殊な技術も不要である。
【００２７】
さらに、垂直方向及び水平方向の連結構造を、正方形を基本とすることにより、天板・箱（収納部）・台輪に同じ連結構造を設けることにより、各部材の向きが変わっても、天板と箱、天板と台輪、箱と箱、箱と台輪それぞれを必ず連結可能とすることができる。
【００２８】
加えて、離れた箱同士を連結する部材として、間仕切り用スクリーン・カーテン・引戸レールが収まるような「梁」を用いることにより、表面には見えないように内蔵した連結金具を用いて、箱の向きを限定せずに強固な連結が可能であり、収納部としてだけでなく、間仕切り・出入口・カウンター・テーブル等としても幅広く利用することができる。
【発明を実施するための最良の形態】
【００２９】
以下、本発明を図面により詳細に説明する。
特許請求の範囲を始めとして、本発明で、「貫通孔」という場合は、これによりネジ止めすることができるように、その内壁にネジ溝が形成されたものをも含む。
図１（ａ）−１、図１（ａ）−２、図１（ｂ）−１、図１（ｂ）−２は、本発明のユニット家具の箱体の構成例を示す説明図である。それぞれ、箱体上面部を含む要部断面、箱体下面部を含む要部断面、箱体上面部を含む要部平面、箱体下面部を含む要部底面の構成例を表す。これらの図において本箱体１は、これを複数用いて垂直方向に連結して収納機能を有するユニット家具を構成することのできるものであって、その上面部または下面部のいずれか一方（１２または１４）に、垂直方向に隣接して他の箱体が連結される際の位置決め用の一の凸状連結ピン５が、また他の一方（１４または１２）に、該凸状連結ピン５と嵌合する形状の凹状連結ピン６が設けられ、その上面部または下面部（１２または１４）のいずれか一方に、垂直方向に隣接して他の箱体が連結される際に該他の箱体に備えられる後記ナット８に対してネジ止めを行うための一または二以上の貫通孔部９が、また他の一方（１４または１２）に、別の箱体に備えられた該貫通孔部９を通してネジ止めを受けるための二以上のナット８が設けられ、該両連結ピン５、６で位置を合わせて積まれた二の箱体の一方を他方に対して該連結ピン５または６位置を中心として回転させた場合に、少なくとも一の該貫通孔部９と位置が合うようにするために、該ナット８は、該連結ピン位置５または６を中心とし、該一の貫通孔部９−該連結ピン（５または６）間距離に等しい長さｒを半径とする円周上に二以上設けられている、ことを主たる構成とする（上記（１）の発明）。
【００３０】
かかる構成により、本箱体１の前記位置決め用の凸状連結ピン５と、該箱体１に垂直方向に隣接して連結される他の箱体１の前記凹状連結ピン６とが嵌合して、両箱体１、１の水平面上の位置決めがなされる。ここで、図示されるように該凸状連結ピン５は箱体１の上面部１２に、該凹状連結ピン６は下面部１４にそれぞれ設けてもよいが、逆のパターンで設けることも排除されない。
【００３１】
該両連結ピン５、６で位置を合わせて積まれた二の箱体１、１は、その一方を他方に対して該連結ピン５または６位置を中心として水平面上で回転させることにより、箱体間の回転方向上角度位置が決められる。この場合、前記ナット８は、該連結ピン位置５または６を中心とし、該一の貫通孔部９−該連結ピン（５または６）間距離に等しい長さを半径ｒとする円周上に二以上設けられているため、少なくとも一の該貫通孔部９と位置を合わせることができる。ここで、図示されるように該貫通孔部９は箱体１の上面部１２に、該ナット８は下面部１４にそれぞれ設けてもよいが、逆のパターンで設けることも排除されない。
【００３２】
該ナット８と位置合わせのなされた一方の箱体１の該貫通孔９を通して、他方の箱体１の該ナット８に対してネジ止めがなされ、固定される。該ナット８は二以上設けられるため、箱体間の回転方向上角度位置は少なくとも二パターンが可能であり、より多くすることによってパターンを増やすことができる。また、該貫通孔部９は少なくとも一個設けられることにより、両箱体１、１を固定することができ、さらに二以上設けることにより両箱体１、１間の回転を完全に防止し、固定をより強固なものとすることができる。
【００３３】
上述のように本発明箱体１は構成され作用するため、これを複数用いて垂直方向に連結することにより、収納機能を有するユニット家具が構成される。
【００３４】
図２（ａ）、図２（ｂ）−１、図２（ｂ）−２は、本発明のユニット家具の箱体の構成例を示す別の説明図である。それぞれ、箱体断面図、箱体上面部平面図、箱体下面部底面図を表す。これらの図において本箱体２１は、これを複数個垂直方向に連結して収納機能を有するユニット家具を構成できるものであって、該箱体２１は、その上面部２１２および下面部２１４の形状が、正方形からなる基本領域が一または二以上集合してなる図形の形状を有し、上面部２１２または下面部２１４のいずれか一方に、垂直方向に隣接して他の箱体が連結される際の位置決め用の一の凸状連結ピン２５が、また他の一方に、該凸状連結ピン２５と嵌合する形状の凹状連結ピン２６が設けられ、これらの連結ピン２５、２６は、該基本領域が二以上の正方形からなる場合は少なくとも一の基本領域において設けられ、上面部２１２または下面部２１４のいずれか一方に、垂直方向に隣接して他の箱体２１が連結される際に該他の箱体２１に備えられる後記ナット２８に対してネジ止めを行うための一または二以上の貫通孔部２９が、また他の一方に、別の箱体２１に備えられた該貫通孔部２９を通してネジ止めを受けるための二以上のナット２８が設けられ、各連結ピン２５、２６はそれぞれが設けられる上面部２１２または下面部２１４の該基本領域の中心にあって、両連結ピン２５、２６が垂直方向同軸上に設けられ、該両連結ピン２５、２６により上面部２１２および下面部２１４の該基本領域の中心を合わせて積まれた二の箱体２１、２１の一方を他方に対して該連結ピン２５、２６位置を中心として回転させた場合に、少なくとも一の該貫通孔部２９と位置が合うようにするために、該ナット２８は、該連結ピン２５または２６の位置を中心とし、該一の貫通孔部−該連結ピン間距離に等しい長さｒ２を半径とする円周上に二以上設けられていることを主たる構成とする（上記（２）の発明）。
【００３５】
図において本箱体２１は上述のように構成されるため、前掲図１（Ａ）−１等により説明した箱体１発明の作用に加えて、次のような作用を有する。つまり、該箱体２１は、その上面部２１２および下面部２１４の形状が、正方形からなる基本領域が一または二以上集合してなる図形の形状を有することにより、該基本領域が一の場合にはすなわち、該上面部２１２および下面部２１４は正方形状をなし、該箱体２１の垂直方向連結に際しては、水平面上の回転角度を９０°とすることによって、平面形状にずれのないユニット家具を構成することができる。
【００３６】
また該基本領域を二以上集合させた形状とする場合にはすなわち、長方形や長方形の複合体による鈎状形状の平面形状を有することとなり、該箱体２１の垂直方向連結に際しては、水平面上の回転角度を９０°とすることによって、平面形状によけいな突出部のないユニット家具を構成することができる。いずれの場合も、正四角柱を単位構成とした立体形状のユニット家具を容易に構成することができる。
【００３７】
また、各連結ピン２５、２６の位置を、それぞれが設けられる上面部２１２または下面部２１４の該基本領域の中心とし、両連結ピン２５、２６を垂直方向同軸上に設けることにより、該両連結ピン２５、２６で上面部２１２および下面部２１４の該基本領域の中心を合わせて積まれた二の箱体２１、２１の一方を他方に対して該連結ピン２５、２６位置を中心として回転させた際に、両箱体２１、２１の軸にぶれのない積み重ねがなされ、正四角柱を単位構成とした立体形状のユニット家具を容易に構成することができる。
【００３８】
図示するように、該貫通孔部２９は該箱体２１の上面部２１２に、該ナット２８は下面部２１４に、それぞれ設けることとすることができる（上記（３）の発明）。これにより、ネジ止めは下方の箱体２１の上面部２１２裏側（内側）から、上方に積まれた箱体２１の下面部２１４表側（外側）に対してなされ、該裏側は通常見えにくい位置であるため、連結部材の表面露出が実質的に防止される。
【００３９】
図示するように、前記凸状連結ピン２５は箱体２１の上面部２１２に、凹状連結ピン２６は下面部２１４に設けることができるが、これに限定されず、その逆のパターンとすることも可能である。
【００４０】
図２（ｂ）−１、２に図示するように本箱体２１ではさらに、前記貫通孔部２９を、前記連結ピン２５を中心とする同心円上に設け、前記ナット２８を、前記連結ピン２６を中心とする同心円上に設けることとすることができる（上記（４）の発明）。かかる構成により、両箱体間の両連結ピン２５、２６を中心とした水平面上回転の際に、該貫通孔部２９と該ナット部２８の位置合わせがなされる。
【００４１】
図２（ｂ）−１、２に図示するように本箱体２１ではさらに、前記ナット２８は、相互に９０°の間隔で設けられた四個を少なくとも含み、二の前記箱体を積んで一方の箱体２１の該四個のナット２８のいずれかを、他方の箱体２１の前記貫通孔部２９の位置と合わせた場合に、両箱体の接する平面を構成する各辺の方向がそろうように、該ナット２８が配置された構成とすることができる（上記（５）の発明）。つまり、たとえば図示するように、該ナット２８の配置を、該連結ピン２６を中心とした同心円上において、該貫通孔部２９の配置と同一のパターンにすることができる。これにより、該ナット２８のいずれかを、他方の箱体２１の該貫通孔部２９の位置と合わせた場合に、両箱体の接する平面を構成する各辺の方向がそろい、上述したように正四角柱を単位構成とした立体形状のユニット家具を容易に構成することができる。
【００４２】
該ナット２８は図では４個設けられているが、配置個数はこれに限定されず、たとえばこれらの中間位置にさらに１個ずつ設け計８個とすることもできる。この場合、正四角柱を単位構成とした立体形状のユニット家具の構成に加え、箱体間の水平面上回転角度が４５°で積まれた構成も可能となる。
【００４３】
図のように本箱体２１ではさらに、前記ナットを、相互に９０°の間隔で四個設けた構成とすることができ、また、前記連結ピン２５、２６は、上面部２１２のものを凸状、下面部２１４のものを凹状とすることができる（上記（６）の発明）。
【００４４】
図３（ａ）、（ｂ）、（ｃ）は、本発明のユニット家具の垂直方向連結構造の構成を示す要部断面図であり、それぞれ、同一サイズの二の箱体間、天板と異なるサイズの二の箱体間、箱体と台輪間における構成例である。すなわちこれらの図において本垂直方向連結構造は、（Ａ）上述したいずれかのユニット家具の箱体と、下記（Ｂ１）ないし（Ｂ３）の少なくともいずれか一つが垂直方向に積まれて、それぞれが前記貫通孔部および前記ナットの位置を合わせてネジ止めされてなることを、主たる構成とする（上記（７）の発明）。
（Ｂ１）上述したいずれかのユニット家具の箱体（図３（ａ））。
（Ｂ２）下面部に、下方にある箱体上に載置する際の位置決め用の一の凹状または凸状の連結ピンと、該下方箱体の上面部に備えられた該貫通孔部を通してネジ止めを受けるための二以上のナットとを備えた天板（図３（ｂ））。
（Ｂ３）上面部に、上方に箱体が載置される際の位置決め用の一の凸状または凹状の連結ピンと、該上方箱体に備えられる前記ナットに対してネジ止めを行うための一または二以上の貫通孔部とを備えた台輪（図３（ｃ））。
【００４５】
図３（ａ）には、上記（Ａ）および（Ｂ１）からなる垂直方向連結構造が示されている。図において本構造は、箱体３１３の上に箱体３１２が、箱体３１２の上方に箱体３１１がそれぞれ積まれてなる垂直方向連結構造であり、該箱体３１１は、該箱体３１２の上に、それぞれに備えられた連結ピン３６ａ１、３５ａ２によって位置決めされて載置されており、該箱体３１２に設けられた貫通孔部３９ａ２を通して該箱体３１１のナット３８ａ１に対してネジ３１０によるネジ止めがなされている。一方該箱体３１２は同様にして該箱体３１３上に位置決めされて載置され、ネジ止めされている。
【００４６】
かかる連結方法により、箱体同士が垂直方向に連結され、ユニット家具を構成することができる（上記（８）の発明）。かかる構成により、ネジ３１０の頭部のみが、通常見えにくい場所である箱体３１２等の上面内側に露出するのみの状態で連結でき、美観を損ねることがない。かかる効果は、図３（ｂ）、（ｃ）を用いて説明する垂直方向連結構造においても同様である。
【００４７】
なお、図においてはネジ３１０の頭部が箱体３１２等の板面から出た状態の例が示されているが、これに関わらず、該頭部を埋め込んだ形でネジ止めができるように前記貫通孔部３９ａ２等を形成することも、もちろん可能である。この点も、以下の図３（ｂ）、（ｃ）を用いて説明する垂直方向連結構造においても同様である。
【００４８】
図３（ｂ）には、上記（Ａ）、（Ｂ１）および（Ｂ２）からなる垂直方向連結構造が示されている。図において本構造は、箱体３１５の上に箱体３１４が、該箱体３１４の上方に天板３２０がそれぞれ積まれてなる垂直方向連結構造であり、該天板３２０は、該箱体３１４の上に、それぞれに備えられた連結ピン３６ｂ２、３５ｂ４によって位置決めされて載置されており、該箱体３１４に設けられた貫通孔部３９ｂ４を通して該天板３２０のナット３８ｂ２に対してネジ３１０によるネジ止めがなされている。一方該箱体３１４は同様にして、これとはサイズの異なる該箱体３１５上に位置決めされて載置され、ネジ止めされている。
【００４９】
かかる連結方法により、箱体と天板、異なるサイズの箱体同士が垂直方向に連結され、ユニット家具を構成することができる（上記（８）の発明）。特に、ユニット家具を構成する際に最上部の収納部となる箱体の上に天板を載置、連結することにより、ユニット家具最上面における連結用金具等の露出をなくすことができ、美観が損なわれない。
【００５０】
図３（ｃ）には、上記（Ａ）および（Ｂ３）からなる垂直方向連結構造が示されている。図において本構造は、台輪３４０の上に箱体３１６が積まれてなる垂直方向連結構造であり、該箱体３１６は、該台輪３４０の上に、それぞれに備えられた連結ピン３６ｃ６、３５ｃ４によって位置決めされて載置されており、該台輪３４０に設けられた貫通孔部３９ｃ４を通して該箱体３１６のナット３８ｃ６に対してネジ３１０によるネジ止めがなされている。かかる連結方法により、台輪と箱体が垂直方向に連結され、ユニット家具を構成することができる（上記（８）の発明）。箱体に台輪を連結することにより、設置場所移動自在のユニット家具とすることができる。台輪としては、公知構成のものを適宜用いることができる。
【００５１】
図４は、本発明のユニット家具の箱体のまた別の上面部構成を示す説明図である。図において本箱体４１は、上述したいずれかの構成を備える上に、該箱体４１の上面部４２を構成する前記基本領域Ｓが、四回の回転対称を有するようにその四隅にそれぞれ正方形状の平面状凹部４１１ａ、４１１ｂ、４１１ｃ、４１１ｄが設けられ、該平面状凹部４１１ａ等にはこれに嵌合する部分を有する板状部材をネジ止めすることのできるナット４７ａ、４７ｂ、４７ｃ、４７ｄがそれぞれ設けられていることを、基本的な構成とする（上記（９）の発明）。
【００５２】
かかる構成により本箱体４１には、図中の凸状連結ピン４５のような連結ピンによって、該箱体４１の上に別の箱体が位置決めされて載置され、貫通孔部４９等によりネジ止め連結がなされるが、前記基本領域Ｓの四隅にそれぞれ正方形状の平面状凹部４１１ａ等が設けられるため、該基本領域Ｓは四回の回転対称を有することになる。したがって、該箱体４１の上面部４２はこれを該連結ピン４５を中心として回転させた場合、回転角度９０°ごとに同じ平面形状を呈することとなる。
【００５３】
したがって、該箱体４１を水平方向に二個隣接させて置いた場合、該平面状凹部４１１ａ等は必ず位置がずれずに対向し、集合した平面状凹部が形成される。したがって、該集合した平面状凹部と嵌合する部分を有する板状部材を、該集合した平面状凹部に嵌設し、該ナット４７ａ等を用いてネジ止めすることが可能であり、かかるネジ止めにより二の箱体を水平方向に連結させることができる。
【００５４】
図５（ａ）は、本発明のユニット家具の水平方向連結構造の構成方法を断面方向から示す説明図である。図において本水平方向連結構造は、水平方向に接触して並べられた二以上の、図４により説明した箱体５１Ａ、５１Ｂと、この場合に隣接し対向する二の前記平面状凹部５１１Ａ、５１１Ｂからなる形状に嵌合する形状の水平方向連結用板５１２とからなるものであって、該水平方向連結用板５１２には、該平面状凹部５１１Ａ、５１１Ｂに設けられたナット５７Ａ、５７Ｂと位置が合うようにネジ止め用の貫通孔部５１９が設けられており、該水平方向連結用板５１２が両平面状凹部５１１Ａ、５１１Ｂにネジ止めされることによって、隣接する二の該箱体５１Ａ、５１Ｂが連結されていることを、主たる構成とする（上記（１０）の発明）。
【００５５】
かかる構成により、箱体５１Ａ、５１Ｂは隣接して並べられ、二の該平面状凹部５１１Ａ、５１１Ｂからなる形状に嵌合する形状の水平方向連結用板５１２が、該ナット５７Ａと貫通孔部５１９の位置を合わせた状態で該平面状凹部５１１Ａ等上に載置され、該貫通孔部５１９を通して該ナット５７Ａと貫通に対してネジ５１０によりネジ止めがなされることにより本水平方向連結構造が形成され、隣接する二の箱体５１Ａ、５１Ｂの水平方向連結がなされる。
【００５６】
ここで、該ネジ５１０の頭部が該水平方向連結用板５１２の板面上から出ないように、該貫通孔部５１９を形成する等の方法を適宜採択できることは、垂直方向連結構造の場合と同様である。
【００５７】
図４を用いて説明した箱体と前記水平方向連結用板とを用いることにより、前記水平方向連結構造を構成することができ、これを利用したユニット家具、すなわち箱体が水平方向に連結されてなるユニット家具を構成することができる（上記（１１）の発明）。
【００５８】
また、上述の垂直方向連結構造と水平方向連結構造をともに備えてなる、ユニット家具、すなわち箱体を垂直方向や水平方向に自在に連結し、さらにまた天板により最上部の美観と機能を整え、また、台輪を構成することももちろん可能である（上記（１２）の発明）。
【００５９】
図５（ｂ）は、本発明の梁体を有する水平方向連結構造の構成方法を断面方向から示す説明図である。本水平方向連結構造には、下記の二種類がある。
（Ｃ）水平方向に離隔して並べられた二の、図４で説明した箱体と、これらを連結する梁体とからなる水平方向連結構造。
（Ｄ）水平方向に離隔して並べられた二の台輪と、これらを連結する梁体とからなり、該台輪には、その上面部に、四回の回転対称を有するようにその四隅にそれぞれ正方形状の平面状凹部が設けられ、該平面状凹部にはこれに嵌合する部分を有する板状部材をネジ止めすることのできるナットが設けられている水平方向連結構造。（上記（１３）の発明）。
【００６０】
ここでは、特に（Ｃ）について図を用いて説明する。
本水平方向連結構造は、水平方向に離隔して並べられた箱体５１Ｃ、５１Ｄと、これらを連結する梁体５３とから基本的に構成され、該梁体５３は、梁本体部５３１と、該梁本体部５３１の長手方向両端部にそれぞれ設けられた、もしくは取付け得る梁体連結用板５３３ａ、５３３ｂとからなり、該梁体連結用板５３３ａ等には、前記平面状凹部５１１Ｃ、５１１Ｄに設けられたナット５７Ｃ、５７Ｄと位置が合うようにネジ止め用の貫通孔部５３９が設けられており、該梁体連結用板５３３ａ等が該平面状凹部５１１Ｃ等にネジ止めされることによって、離隔して並べられた二の箱体５１Ｃ、５１Ｄが該梁体５３により連結されている構成をとる。
【００６１】
かかる構成により、離隔して並べられた二の箱体５１Ｃ、５１Ｄは、その離間距離が該梁体５３のサイズと合うように載置され、両箱体５１Ｃ、５１Ｄの各平面状凹部５１１Ｃ、５１１Ｄに、該梁体５３が、該貫通孔部５３９と該ナット５７Ｃ等の位置が合うように載置され、ネジ５１０によりネジ止めがなされることにより本水平方向連結構造が形成され、離隔して並べられた二の箱体５１Ｃ、５１Ｄの水平方向連結がなされる。
【００６２】
ここで、該ネジ５１０の頭部が該梁体連結用板５３３ａ等の板面上から出ないように、該貫通孔部５３９を形成する等の方法を適宜採択できることは、上述のとおりである。
【００６３】
図６は、本発明のユニット家具の梁体の要部断面構成を示す説明図である。図において本梁体６３は、梁本体部６３１と、該梁本体部６３１の長手方向両端部にそれぞれ設けられた、もしくは取付け得る梁体連結用板６３３ａ等とからなり、該梁体連結用板６３３ａ等には、前記平面状凹部に設けられたナットと位置が合うようにネジ止め用の貫通孔部６３９が設けられていることを、主たる構成とする（上記（１４）の発明）。
【００６４】
かかる構成により本発明梁体６３は、図５（ｂ）において説明したように、離隔して並べられた箱体間を連結する水平方向連結構造の形成に用いることができる。
【００６５】
図において前記梁体連結用板６３３ａ等は、前記梁本体部６３１にはその下面部に設けられもしくは取り付けられ、該梁本体部６３１から張り出した部分は前記平面状凹部に上方からネジ止めするように形成されたものとすることができる（上記（１５）の発明）。
【００６６】
かかる構成により、該梁体連結用板６３３ａ等を、該梁本体部６３１においてのみならず、前記箱体の平面状凹部への連結部分においても、上方からは見えないようにすることができる。つまり、平面状凹部の上には、別の箱体あるいは天板を垂直方向に連結することができるからである。
【００６７】
図示するように前記梁体連結用板５３３ａ等は、前記梁体６３が前記箱体等に連結された場合にその上面部が該箱体等の上面部と同じ高さとなるように、クランクカーブ状に形成するものとすることができる（上記（１６）の発明）。
【００６８】
後掲の図１２（ａ）、（ｂ）等に示すように、前記梁本体部（８３）にはさらに、長手方向に一または二以上のガイド（８１４）を設け、これに、間仕切り用スクリーン等の開閉物もしくは引き戸用レール等の開閉物支持体を取付可能な摺動部材（８１３）を摺設した構成とすることができる（上記（１７）の発明）。
【００６９】
かかる構成により本梁体は、これに、間仕切り用スクリーン、カーテン等の開閉物、もしくは引き戸用レール等の開閉物支持体を取付けることができ、二の箱体間を連結する役割の梁に、さらに空間を仕切る構成を付加することができ、ユニット家具としてのヴァリエーションを豊富にすることができる。
【００７０】
また、前記ガイド（８１４）は、前記梁本体部（８３）の上下方向に二以上設けることもできる（上記（１８）の発明）。これをもって、摺動部材（８１３）を介して取り付けられる間仕切り用スクリーン等の設置高さ調節手段の一つとすることができる。
【００７１】
また前記梁本体部（８３）は、その断面形状を下面開放のコの字状に形成した構成とすることができる（上記（１９）の発明）。これにより、該梁体下方に前記開閉物や開閉物支持体を取付け、設けることができる。
【００７２】
さらに本発明梁体は、上述した構成に加え、前記梁本体部上面に、上方に卓状板が載置される際の位置決め用の一の凸状または凹状の連結ピンと、該卓状板に備えられるナットに対してネジ止めを行うための一または二以上の貫通孔部とを備えた構成とすることもできる（上記（２０）の発明）。
【００７３】
かかる構成をとることにより、箱体間等における垂直方向連結構造の発明について説明した内容と同様に、該梁本体部上面に、箱体における天板の機能も有するといえる卓状板を載置し、これを連結することができる。ここで、卓状板のサイズは特に限定されず、二または三以上の梁体に亘ってこれを載置し、連結することももちろん可能である。
【００７４】
前掲図５（ｂ）に示した、本発明の梁体を有する水平方向連結構造は、上述したいずれかの梁体を用いて形成し、前記梁体連結用板が前記平面状凹部にネジ止めされることによって、離隔して並べられた二の該箱体または二の該台輪が該梁体により連結される構成とすることができる（上記（２１）の発明）。
【００７５】
図５（ａ）、（ｂ）を用いて説明した二種の水平方向連結構造を利用して、水平方向に箱体や台輪を直接連結したり、梁を介してこれらを連結したりして、ユニット家具を自在に構成することができる（上記（２２）の発明）。
【００７６】
また本発明によれば、前記梁体上に前記卓状板を備えてなるユニット家具を構成することもできる（上記（２３）の発明）。また、二種の水平方向連結構造、垂直方向連結構造を適宜形成して、水平方向、垂直方向に各要素が連結されたユニット家具を、自由自在に構成することが可能である（上記（２４）の発明）。
【実施例】
【００７７】
以下、実施例により本発明をより具体的に説明するが、本発明のユニット家具の箱体、ユニット家具の垂直方向連結構造、ユニット家具の水平方向連結構造、ユニット家具の梁体、およびユニット家具は、かかる実施例に限定されるものではない。
【００７８】
図７ないし１３には、本発明のユニット家具およびそれに係る箱体等の発明の実施例を示している。すなわち本発明は、箱（以下、上述説明の「箱体」を単に「箱」ともいう。）・天板・梁（以下、上述説明の「梁体」を単に「梁」ともいう。）・台輪の各部材を用いて構築されるユニット家具であり、収納部となる箱はその平面形状が正方形を基準としており、部材のサイズはすべて、基準となる正方形を連ねる形で展開することができる。
【００７９】
なお、以下の実施例の説明においては、特に括弧書きで断らずに上述説明の用語を適宜変更して用いることがあるとともに、各図においては、同一機能を奏する要素については同一の符号を付して説明することがある。
【００８０】
＜実施例１＞
図７は、実施例１の、箱・梁・台輪・天板を用いたユニット家具における、要部の分解状態を示す斜視図である。ユニット家具の基本構成（箱・天板・梁・台輪・連結金具）と垂直方向の連結構造、および梁体を用いた水平方向連結構造の一部を図示したものである。
【００８１】
台輪８４上に二の同一サイズの箱８１が重ねられ、上部の箱体８１には梁８３が連結され、上部箱体８１の背面方向には、別の箱体を連結するための連結金具Ａ（８１２）が取り付けられ、さらにそれらの上から天板８２が上部箱体８１の上面部を覆って載置、連結されてなるユニット家具の、組み立て構成を示している。台輪８４と下部箱体８１、下部箱体８１と上部箱体８１、上部箱体８１と天板８２は、いずれも四方向を選択できるように自在に水平面上に回転させて連結することができる。
【００８２】
各垂直方向連結構造、水平方向連結構造では、すべて、同一種類のネジ８１０、同一仕様の凸状連結ピン８５、凹状連結ピン８６（図１０（ｄ）、（ｅ）参照）、貫通孔８９、ナット８８を用いることができるため、製品を規格化でき、製造も容易で、組み立ての際の作業も容易化できる。
【００８３】
＜実施例２＞
図８は、実施例２の、水平方向に箱を連結したユニット家具における、箱の連結状態を示す斜視図である。連結金具Ａ（８１２）を用いて箱体同士の水平方向連結を行う場合の、箱と箱の水平方向の連結部分の詳細を図示したものである。
【００８４】
ともに平面形状が正方形の基本領域２単位からなる、３枚の棚板が備えられた箱と、１枚の棚板が備えられた箱が、正面を同一方向に向けて、隣接して水平方向に連結されている。さらに前者の箱には別の正四角柱状の箱８１が、これも隣接して水平方向に連結されており、全体の平面形状が略Ｌ字状のユニット家具を構成している。また、台輪８４は全部で３台が用いられ、このうち２台は、２の箱体にまたがって連結されており、それによって各箱の連結がより強化されている。
【００８５】
図示された状態に、形成された上面部を覆うための天板を載置、連結することにより、金具８１２や連結ピン８５等が露出せず、美観を損なわないユニット家具とすることができる。
【００８６】
＜実施例３＞
図９は、実施例３の、離隔した二の箱間を梁で連結したユニット家具における、梁の連結状態を示す斜視図である。連結金具Ｂ（８１３）を用いた梁と箱の水平方向の連結部分の詳細を図示したものである。
【００８７】
ともに平面形状が正方形の基本領域２単位からなる、１枚の棚板が備えられた箱８１と、観音開き様の扉８２０が取り付けられた箱８１が、正面を９０°ずらした配置で離隔され、その間が２本の梁８３によって水平方向に連結されている。
【００８８】
このように、垂直方向連結構造、水平方向連結構造、基本領域が規格化されて備えられた箱体であれば、その収容形態としては、棚、扉（観音開き、引き戸、その他）、引出しなど、あらゆる形態を適宜用いて構成することができる。
【００８９】
図示された状態に、形成された上面部を覆うための天板あるいは卓状板を載置、連結することにより、金具８１３等が露出せず、美観を損なわないユニット家具とすることができる。
【００９０】
また、梁８３にはガイド（溝）が設けられているため、これに摺動部材を取付け、摺動部材に間仕切り用スクリーン等を取り付けたユニット家具とすることができる。
【００９１】
＜実施例４＞
図１０（ａ）ないし（ｄ）は、実施例１に示したようなユニット家具の構成にも用いることのできる箱体の例について、その正六面図をそれぞれ示したものである。ただし、左右の側面図および背面図は同様に現れるため、図１０（ｂ）のみにそれを示している。（ａ）：正面図、（ｃ）：平面図（上面）、（ｄ）：底面図（裏面、下面）である。また、図１０（ｅ）は該箱体のＡ−Ａ’矢視縦断面図である。すなわちこれらの図は、ユニット家具の基準とすることのできる箱の形状および連結構造を図示したものである。
【００９２】
＜実施例５＞
図１１（ａ）、（ｂ）は、実施例１、２等において示したようなユニット家具の構成にも用いることのできる天板の例二種類について、それぞれ、その正面図および底面図（裏面図）を示したものである。（ａ）の例は正方形の基本領域が１単位、（ｂ）の例は２単位により構成されている。
【００９３】
＜実施例６＞
図１２（ａ）ないし（ｄ）は、実施例１、２等において示したようなユニット家具の構成にも用いることのできる梁体の例について、それぞれ、（ａ）：梁本体部の正面図、（ｂ）：梁体連結用板を含む梁体の要部平面図、（ｃ）：レール取付用平型金具（以下、上述の説明で用いた「摺動部材」をこのようにもいう。）、（ｄ）：梁体要部の縦断面図を示したもので、図１２（ｂ）のＢ−Ｂ’矢視縦断面図である。
【００９４】
図１２（ａ）の溝８１４には、図１２（ｃ）に示すような平型金具８１５（摺動部材）を摺設することができる。
【００９５】
＜実施例７＞
図１３は、実施例７の、垂直方向・隣接した水平方向・離隔した水平方向に各種箱体・台輪・天板（カウンターを含む）、卓状板（テーブル）を連結したユニット家具を示す斜視図である。
【００９６】
本例は、立面形状が略Ｌ字状のユニット家具部分と、正面形状が長方形のユニット家具部分とが２本または３本の梁８３によって水平方向に連結され、その梁８３の上には卓状板が載置、連結された構成のユニット家具である。箱の下部にはいずれも台輪８４が連結されている。
【００９７】
２つのユニット家具部分のうち前者は、基本領域２単位からなり３段の棚板が備えられた箱８１と、内部仕様の異なる２個の、ともに基本領域１単位の箱が垂直方向に正面を９０°ずらして連結されたものとが、水平方向に連結されてなる。
【００９８】
一方、後者は、梁８３よりも高さのある、内部仕様の異なる２個の、ともに基本領域１単位の箱が離間して配置され、その間をより高さの低い基本領域２単位の箱が連結している。高い箱には、それぞれ、引出し８１８と棚が備えられている。高い２つの箱には共通の天板８１９が渡されて設けられている。
【００９９】
梁８３の上に設けられた卓状板８１６は、これをカウンターとして用いることもできるものである。
【０１００】
図１０（ａ）等に構成を示した実施例４の箱体８１では、箱上面中央の位置決めのための連結ピン８５が、上に重なる箱底面中央の連結ピン８６に収まると、それを中心軸として上の箱は３６０°回転することができる。箱底面には十文字に、すなわち連結ピン８６を中心とした同心円周上に９０°ずつ離間して４つのナット８８、８８、８８、８８を埋め込み、箱上面には一文字、すなわち連結ピン８５を中心とした同心円周上に１８０°離間して２つのネジ穴８９を設けることで、上に乗せた箱の向きが変わっても、下の箱内部より差し込まれた２本のネジ８１０（図７参照）によって、垂直方向の確実な連結を可能にした。かかる実施例４示される基本構成を有する箱体８１を用いて、実施例１、２、３、７のユニット家具の垂直方向連結構造を構成することができる。
【０１０１】
図７、９および図１０（ｃ）に構成を示した実施例４の箱体ではまた、箱上面四隅にそれぞれ正方形の凹部８１１（以下、上述説明の「平面上凹部」を、単に「凹部」ともいう。）と凹部８１１中央にナット８７を設けた構成をとる。これにより、隣接した二の箱８１、８１の隣り合った凹部８１１に平型の連結金具Ａ（８１２）を渡してネジ８１０で固定し、その上に箱底面と同じ連結ピン８６とナット８８を設けた天板８２を乗せて固定することによって、金具Ａ（８１２）を全く外部に見せずに、水平方向の連結が可能である。
【０１０２】
凹部８１１は連結金具Ａ（８１２）の厚さとすることができるので、重なる箱８１と箱８１、箱８１と天板８２の間には細いスリットが現れるのみであり、美観が損なわれない。
【０１０３】
図１１（ａ）等に構成を示した実施例５の天板８２を用いれば、箱８１上面の連結機構が表面に見えないように後付けすることができる。また、箱８１底面と同じ連結構造を有することにより、箱の向きや配列が変わっても、箱８１との連結が可能である。
【０１０４】
図１２（ａ）等に構成を示した実施例６の梁８３を用いれば、離れた箱８１同士を連結することができる。ここで梁８３は、連結される箱８１の向きを限定しないように、箱８１と梁８３を連結する連結金具Ｂ８１３は、箱上面四隅凹部８１１に固定される部分の平面形状を、連結金具Ａ８１２と同じ形状とした。
【０１０５】
また本例の梁８３は、下向きにコの字の形状で、左右側板内部に２本ずつ溝（ガイド）８１４を設け、そこにネジ穴を持つ平型金具８１５をスライド可能に設けることにより、梁８３自体にネジ穴等を加工することなく、任意の位置・高さで間仕切り用スクリーン・カーテン・引戸用レール等を取り付けることを可能にした。本例では溝８１４は２本設けているが、本発明はこれに限定されず３本以上設けることも、あるいは１本のみ設けることもできることは、いうまでもない。
【０１０６】
梁８３の上部には、箱上面のネジ穴の位置と同じ位置およびスパンでネジ穴８９を設けることにより、梁８３の上に箱８１や天板８２、あるいは卓状板８１６を乗せて垂直方向に強固に連結することもできる。
【０１０７】
図７等に示すように、箱８１を、たとえば室内の任意の位置に移動させて設置することができるように、台輪８４を別途用意してユニット家具を構成することができる。台輪８４には、その上面中央に位置決めの連結ピン８５と、それを挟んで一文字に２つのネジ穴８９を設けることにより、上に乗せる箱８１の向きが変わっても、これを自在に連結することが可能である。
【０１０８】
以上各実施例について図示した上記の連結構造はその平面形状が正方形を基本としているため、ａＸ２ａ、ａＸ３ａ、２ａＸ２ａ、・・・というように、基本の正方形一辺の長さをａとしたあらゆるサイズの平面形状を有する箱、台輪、天板、卓状板をユニット家具の構成要素として採用することができる。つまり、
箱等のサイズが種々あっても、垂直・水平各方向の連結構造がそれに対応して連なっていくことで、ユニット家具として極めて多様な形態を自由自在、かつ容易に構成することができる。
【産業上の利用可能性】
【０１０９】
本発明のユニット家具の箱体、ユニット家具の垂直方向連結構造、ユニット家具の水平方向連結構造、ユニット家具の梁体、およびユニット家具は上述のように構成されているため、これによれば、上述した効果に加え、次のような効果を有するユニット家具を提供することができる。すなわち、箱の向きを容易に変えることができ、設置形態がどのように変化しても、収納部同士が離れていても、強固な連結が可能である。また、連結部分が表面に現れないので、壁面状になっても美観を損ねない。そして、連結構造を箱上下面にのみ設けたことで、箱や部材の材料を選ばず、さらに、連結部分の製作も容易で、かつ特殊部品を用いないことから、コストを抑えることができる。加えて、連結作業に特殊な技術が不要であるため、ユーザーが扱いやすい。
【０１１０】
実施例にその一部を示したごとく、ユニット家具の構成方法として極めて応用範囲が広く、さらに収納部としてだけでなく、間仕切り・出入口・カウンター・テーブル等として幅広い利用が可能であり、産業上非常に利用性の高い発明である。
【図面の簡単な説明】
【０１１１】
【図１（ａ）−１】本発明のユニット家具の箱体の構成例を示す説明図のうち、箱体上面部を含む要部断面図である。
【図１（ａ）−２】同じく箱体下面部を含む要部断面図である。
【図１（ｂ）−１】同じく箱体上面部を含む要部平面図である。
【図１（ｂ）−２】同じく箱体下面部を含む要部底面図である。
【図２（ａ）】本発明のユニット家具の箱体の構成例を示す別の説明図のうち、箱体断面図である。
【図２（ｂ）−１】同じく箱体上面部平面図である。
【図２（ｂ）−２】同じく箱体下面部底面図である。
【図３（ａ）】本発明のユニット家具の垂直方向連結構造の構成を示す要部断面図のうち、同一サイズの二の箱体間の構成例を示す図である。
【図３（ｂ）】同じく天板と異なるサイズの二の箱体間の構成例を示す図である。
【図３（ｃ）】同じく天板と異なるサイズの二の箱体間、箱体と台輪間における構成例を示す図である。
【図４】本発明のユニット家具の箱体のまた別の上面部構成を示す説明図である。
【図５（ａ）】本発明のユニット家具の水平方向連結構造の構成方法を断面方向から示す説明図である。
【図５（ｂ）】本発明の梁体を有する水平方向連結構造の構成方法を断面方向から示す説明図である。
【図６】本発明のユニット家具の梁体の要部断面構成を示す説明図である。
【図７】実施例１の、箱・梁・台輪・天板を用いたユニット家具における、要部の分解状態を示す斜視図である。
【図８】実施例２の、水平方向に箱を連結したユニット家具における、箱の連結状態を示す斜視図である。
【図９】実施例３の、離隔した二の箱間を梁で連結したユニット家具における、梁の連結状態を示す斜視図である。
【図１０（ａ）】実施例４の箱体の正面図である。
【図１０（ｂ）】同じく左右の側面図および背面図である。
【図１０（ｃ）】同じく平面図である。
【図１０（ｄ）】同じく底面図（裏面、下面）である。
【図１０（ｅ）】同じく図１０（ｃ）のＡ−Ａ’矢視縦断面図である。
【図１１（ａ）】実施例５の天板の構成を示す正面図および底面図である。
【図１１（ｂ）】同じく天板の別の構成例構成を示す正面図および底面図である。
【図１２（ａ）】実施例６の梁体の構成を示す（ａ）：梁本体部の正面図である。
【図１２（ｂ）】同じく梁体連結用板を含む梁体の要部平面図である。
【図１２（ｃ）】同じくレール取付用平型金具の構成を示す平面図および正面図である。
【図１２（ｄ）】同じく梁体要部の縦断面図を示す、図１２（ｂ）のＢ−Ｂ’矢視縦断面図である。
【図１３】実施例７の、垂直方向・隣接した水平方向・離隔した水平方向に各種箱体・台輪・天板、卓状板を連結したユニット家具を示す斜視図である。
【符号の説明】
【０１１２】
１…箱体
１２…上面部、  １４…下面部
５…凸状連結ピン、  ６…凹状連結ピン
８…ナット、  ９…貫通孔部
ｒ…貫通孔部−連結ピン間距離に等しい長さ
２１…箱体
２１２…上面部、  ２１４…下面部
２５…凸状連結ピン、  ２６…凹状連結ピン
２８…ナット、  ２９…貫通孔部
ｒ２…貫通孔部−連結ピン間距離に等しい長さ
３１１、３１２、３１３…箱体
３６ａ１、３５ａ２…連結ピン
３８ａ１…ナット、  ３９ａ２…貫通孔部
３１０…ネジ
３１４、３１５…箱体
３２０…天板
３６ｂ２、３５ｂ４…連結ピン
３８ｂ２…ナット、  ３９ｂ４…貫通孔部
３１０…ネジ
３４０…台輪
３１６…箱体
３６ｃ６、３５ｃ４…連結ピン
３８ｃ６…ナット、  ３９ｃ４…貫通孔部
３１０…ネジ
４１…箱体
４２…上面部
Ｓ…基本領域
４１１ａ、４１１ｂ、４１１ｃ、４１１ｄ…平面状凹部
４７ａ、４７ｂ、４７ｃ、４７ｄ…ナット
５１Ａ、５１Ｂ…箱体
５１１Ａ、５１１Ｂ…平面状凹部
５１２…水平方向連結用板
５７Ａ、５７Ｂ…ナット、  ５１９…貫通孔部
５１Ｃ、５１Ｄ…箱体
５３…梁体
５３１…梁本体部
５３３ａ、５３３ｂ…梁体連結用板
５１１Ｃ、５１１Ｄ…平面状凹部
５７Ｃ、５７Ｄ…ナット、  ５３９…貫通孔部
６３…梁体
６３１…梁本体部
６３３ａ…梁体連結用板
６３９…貫通孔部
８１…箱、  ８２…天板、  ８３…梁、  ８４…台輪
８５…連結ピン：オス、  ８６…連結ピン：メス
８７…連結金具固定用ナット、  ８８…垂直方向部材固定用ナット
８９…ネジ穴、  ８１０…ネジ
８１１…箱上面四隅凹部
８１２…連結金具Ａ、  ８１３…連結金具Ｂ
８１４…溝、  ８１５…レール取付用平型金具
８１６…テーブル
８１７…棚、  ８１８…引き出し
８１９…カウンター
８２０…扉
【図１（ａ）−１】
2005230473.tif 000003
【図１（ａ）−２】
2005230473.tif 000004
【図１（ｂ）−１】
2005230473.tif 000005
【図１（ｂ）−２】
2005230473.tif 000006
【図２（ａ）】
2005230473.tif 000007
【図２（ｂ）−１】
2005230473.tif 000008
【図２（ｂ）−２】
2005230473.tif 000009
【図３（ａ）】
2005230473.tif 000010
【図３（ｂ）】
2005230473.tif 000011
【図３（ｃ）】
2005230473.tif 000012
【図４】
2005230473.tif 000013
【図５（ａ）】
2005230473.tif 000014
【図５（ｂ）】
2005230473.tif 000015
【図６】
2005230473.tif 000016
【図７】
2005230473.tif 000017
【図８】
2005230473.tif 000018
【図９】
2005230473.tif 000019
【図１０（ａ）】
2005230473.tif 000020
【図１０（ｂ）】
2005230473.tif 000021
【図１０（ｃ）】
2005230473.tif 000022
【図１０（ｄ）】
2005230473.tif 000023
【図１０（ｅ）】
2005230473.tif 000024
【図１１（ａ）】
2005230473.tif 000025
【図１１（ｂ）】
2005230473.tif 000026
【図１２（ａ）】
2005230473.tif 000027
【図１２（ｂ）】
2005230473.tif 000028
【図１２（ｃ）】
2005230473.tif 000029
【図１２（ｄ）】
2005230473.tif 000030
【図１３】
2005230473.tif 000031